(57)【要約】      （修正有）【課題】融雪水や雨水と一緒にゴミや砂等が貯水タンクに流入しても、何の問題もなく散水でき、一年を通して有効利用できる雨水利用システムを提供する。【解決手段】屋根に降った雨水を利用する融雪・散水システムであって、屋根に降った雨水を樋、配管等を介して集水貯溜する貯水タンク１と、前記貯水タンクの水を屋根、庭等に散水する散水手段２と、前記散水手段に前記貯水タンク内の水を汲み上げ供給するポンプ３と、を備え、前記貯水タンク１は内部が複数の槽に区画され、雨水が流入する最初の槽は沈殿槽６で砂、ゴミ等を分離し、沈殿槽６より下流側の雨水が貯留される貯留槽８に前記ポンプ３が収容配置されている。【選択図】図１
2011220016.tif 000002
【特許請求の範囲】
【請求項１】
屋根に降った雨水を利用する融雪・散水システムであって、
屋根に降った雨水を樋、配管等を介して集水貯溜する貯水タンクと、
前記貯水タンクの水を屋根、庭等に散水する散水手段と、
前記散水手段に前記貯水タンク内の水を汲み上げ供給するポンプと、
を備え、前記貯水タンクは内部が複数の槽に区画され、雨水が流入する最初の槽は沈殿槽で砂、ゴミ等を分離し、沈殿槽より下流側の雨水が貯留される貯留槽に前記ポンプが収容配置されていることを特徴とする雨水利用の融雪・散水システム。
【請求項２】
前記貯水タンクは、地下に埋設されていることを特徴とする請求項１記載の雨水利用の融雪・散水システム。
【発明の詳細な説明】
【技術分野】
【０００１】
本発明は雨水利用の融雪・散水システムに関する。
【背景技術】
【０００２】
雨水を貯水槽に溜め、この水を揚水ポンプにより屋根上の散水管に導き、その散水管より散水して屋根に積もった雪を溶かし、融雪水及び雨水を樋により集めて貯水槽に戻す雨水による循環式消雪装置が知られている（例えば、特許文献１参照）。
【０００３】
しかし、特許文献１に記載の融雪水及び雨水を溜める貯水槽は単一の水槽（タンク）で構成されているため、融雪水及び雨水と一緒にゴミや砂が貯水槽に流入した場合、そのゴミや砂が揚水ポンプの働きを阻害し、屋根上の散水管に十分に揚水できず、所期の効果が得られなくなるという問題点を有する。
また、一般家庭で利用される前記消雪装置の貯水槽は容量が８０リットルから５００リットル程度と小さいため、冬期の消雪目的以外に利用したいと思っても他に活用できないものであった。
【先行技術文献】
【特許文献】
【０００４】
【特許文献１】特開２００５-８３１８０号公報
【発明の概要】
【発明が解決しようとする課題】
【０００５】
本発明は上記従来の技術が有する問題点に鑑みてなされたもので、融雪水や雨水と一緒にゴミや砂等が貯水タンクに流入しても、何の問題もなく散水でき、一年を通して有効利用できる雨水利用システムを提供することにある。
【課題を解決するための手段】
【０００６】
上記課題を解決する為に本発明の雨水利用の融雪・散水システムは、屋根に降った雨水を利用する融雪・散水システムであって、屋根に降った雨水を樋、配管等を介して集水貯溜する貯水タンクと、前記貯水タンクの水を屋根、庭等に散水する散水手段と、前記散水手段に前記貯水タンク内の水を汲み上げ供給するポンプと、を備え、前記貯水タンクは内部が複数の槽に区画され、雨水が流入する最初の槽は沈殿槽で砂、ゴミ等を分離し、沈殿槽より下流側の雨水が貯留される貯留槽に前記ポンプが収容配置されていることを特徴とする。
前記貯水タンクは、内部が複数の槽に区画され沈殿槽と貯留槽を有するが、貯留槽は１個又は２個備えていてもよく、２個備える場合は最初の貯留槽で更に細かな砂やゴミを分離し、次の貯留槽にポンプを配置する。また、前記貯水タンクは地上に設置してもよいが、地下に埋設することで、地上の有効活用が可能となる。また、前記貯水タンクは雨水の通年利用を考慮し、容量は２０００リットル以上が好ましい。
【０００７】
また、前記散水手段としては屋根用散水管、庭用散水栓、玄関用散水管等が挙げられる。
又、前記貯水タンクに貯留した雨水を前記散水手段に供給するポンプとしては、水中ポンプ、揚水ポンプ等が挙げられる。
【０００８】
上記手段によれば、屋根に降った雨水を雨樋によって集め、配管、雨水枡を経て貯水タンクに導き、砂・ゴミ等の固形物を分離除去した処理水を貯留槽に溜め、その処理水をポンプで汲み上げ、夏は屋根に散水（打水）することで冷房効果が期待でき、冬は屋根や玄関等に散水することで屋根、玄関口の融雪に、また、春・秋には草花への水やり、洗車用など、一年を通して有効利用することができる。また、集中豪雨時は貯水タンクが雨水調整池として役割を発揮する。
【０００９】
そして、前記貯水タンクを地下に埋設した場合は、地上における該貯水タンク分のスペースを他の用途に有効活用することができる。
【発明の効果】
【００１０】
本発明の雨水利用の融雪・散水システムは、雨水、融雪水を貯留する貯水タンクとして内部が複数の槽に区画され、雨水が流入する最初の槽は沈殿槽で砂、ゴミ等を分離し、沈殿槽より下流側の雨水が貯留される貯留槽にポンプを配置したことで、雨水や融雪水と一緒にゴミや砂等が貯水タンクに流入しても、沈殿槽で砂、ゴミ等が分離され、砂、ゴミ等が除去された処理水をポンプで汲み上げ散水することができる。従って、砂、ゴミ等が詰まって散水できなくなるということはなく、夏は屋根に散水（打水）することで冷房効果が期待でき、冬は屋根や玄関等に散水することで屋根、玄関口の融雪に、また、春・秋には草花への水やり、洗車用など、一年を通して有効利用することができる。また、集中豪雨時は貯水タンクが雨水調整池として役割を発揮し、被害の拡大を防止できる。
更に、前記貯水タンクを地下に埋設した場合は、地上における該貯水タンク分のスペースを他の用途に有効活用することができる。
【図面の簡単な説明】
【００１１】
【図１】本発明に係る融雪・散水システムの概要を示すシステム図。
【図２】貯水タンクの拡大断面図。
【発明を実施するための形態】
【００１２】
以下、本発明に係る融雪・散水システムの実施の形態の一例を図面に基づいて説明する。
本システムは、一般住宅の屋根に降った雨水を雨樋、雨水枡・配管を経て地下に設置した貯水タンクに導き、砂やゴミ等の固形物を分離除去し、処理水をポンプで汲み上げ、屋根上の散水管や玄関口の散水管、或いは庭の散水栓などの散水手段より散水するシステムである。
【００１３】
その実施の形態を、図１、図２に基づいて説明する。
本システムＡは、図１に示すように、住宅Ｂの屋根に降った雨水を、樋４、配管５等を介して集水貯溜する地下埋設の貯水タンク１と、前記貯水タンク１の水を屋根、庭等に散水する散水手段２と、前記散水手段２に前記貯水タンク１内の水を汲み上げ供給する水中ポンプ３とで構成されている。
【００１４】
前記貯水タンク１は、図２に示すように、ガラス繊維強化樹脂材（ＦＲＰ）で形成した上タンク部材１ａと下タンク部材１ｂを、それぞれの接合部に設けたフランジを接合一体化して構成され、タンクの内部は３槽に区画されている。その３槽は雨水が流入する側から沈殿槽６、第１貯留槽７、第２貯留槽８に形成され、沈殿槽６で雨水、融雪水と一緒に流入した大きな砂やゴミ等が分離されるようになっている。そして、雨水は沈殿槽６から第１貯留槽７に入り、さらに細かい砂・ゴミ等が分離され、処理された雨水は第２貯留槽８に貯留される。
また、前記貯水タンク１の総容量は多目的の通年利用のために２０００リットル以上が好ましい。
【００１５】
前記沈殿槽６の周壁上部（上タンク部材１ａ）には流入口９が開設され、その流入口９と前記樋４は配管５で接続され、且つ前記配管５の途中には雨水枡１０が取り付けられている。尚、雨水枡１０は、屋根面より、落ち葉、鳥糞、埃等が樋を経由して流れ込む可能性があるので、清掃が容易にできるものを使用し、雨水枡の蓋には土砂の流入する穴などの無いものを使用する。また、前記流入口９を囲むように流入バッフル１１が取り付けられ、雨水が整流されて沈殿槽６に流入するようしてある。
また、沈殿槽６と第１貯留槽７とを仕切る仕切り板１２の上部には沈殿槽６から第１貯留槽７に雨水が流れる流出口１３が開設されている。
【００１６】
前記第１貯留槽７は、前段の沈殿槽６で大きな砂やゴミ等が分離された雨水に混じっている細かな砂・ゴミ等を分離する槽で、第１貯留槽７と第２貯留槽８とを仕切る仕切り板１４の下部に流出口１５が開設されている。
【００１７】
前記第２貯留槽８は沈殿槽６及び第１貯留槽７を経て大きな砂やゴミ、及び細かな砂・ゴミ等が分離された雨水（処理水）を貯留する槽で、内部には水中ポンプ３が配置され、その水中ポンプ３の吐出側は送水管１６を介して散水手段２に接続されている。それにより、第２貯留槽８に貯留された雨水（処理水）は水中ポンプ３の稼働で汲み上げられ、送水管１６を通って散水手段２に供給され、散水される。尚、大量の降雨の場合は、余分な雨水は第２貯留槽８の上部周壁に開設したオーバーフロー口１７からシステム外（例えば、下水道）に排水されるようになっている。そのため、貯水タンク１の設置場所は必要配管勾配のとれる場所とする。
また、前記オーバーフロー口１７は前記沈殿槽６の流入口９の位置に対して低い位置に形成されている。
【００１８】
また、前記貯水タンク１を構成する上タンク部材１ａの上部には、前記沈殿槽６と第１貯留槽７の上方、第１貯留槽７と第２貯留槽８の上方に位置させて清掃孔として供するマンホール１８，１８’が形成され、蓋が取り付けられている。
【００１９】
前記散水手段２は、屋根に散水する屋根用散水管２ａ、玄関先への打ち水を行う玄関用散水管２ｂ、庭への打ち水、散水を行う水栓柱、庭用散水管（スプリンクラー）２ｃ等で、前記送水管１６にバルブを介して接続され、目的に応じて適宜選択して使用できるようになっている。即ち、夏は屋根用散水管２ａより屋根に散水（打ち水）し、更に玄関用散水管２ｂより玄関先に散水（打ち水）することで冷房効果が期待でき、また、庭用散水管（スプリンクラー）２ｃより庭に散水することで草木への水やりができる。冬期は屋根用散水管２ａ、玄関用散水管２ｂより散水することで屋根に積もった雪や玄関先の雪を融雪することができる。また、春、秋は水栓柱、庭用散水管２ｃによって草木への水やり、洗車等に利用することができる。
【００２０】
前記屋根用散水管２ａは、屋根の長さに相当する長さを有した樹脂製パイプの周面に、長さ方向に間隔をおいて吐出口を開口、又は散水ノズルが取り付けられた垂れ流しタイプ、或いはスプリンクラータイプ等、何れのタイプでもよく、その形態は自由である。
また、住宅Ｂの屋外には前記水中ポンプ３の電源コードを接続する防水コンセント１９が設けられている。
また、前記貯水タンク１は地下に埋設することで地上の有効活用に繋がるが、地下に埋設する場合、例えば、カースペース（車庫）の地下等、利用価値の低い場所を選択すると更に有効である。
【００２１】
本発明の融雪・散水システムは上記構成により、降った雨を屋根から集め、雨水枡、配管を経て地下に設置した貯水タンクに貯留し、散水手段２によって散水を行い、屋根へ散水した水は樋で集められ、再び配管を経て貯水タンクに貯留されるので、雨水を循環させて繰り返し利用が可能となる。また、都市の防災用として本システムを地域ぐるみで活用することで、雨水調整池としての役割を発揮することができる。
【００２２】
本発明に係る融雪・散水システムは図示した実施の形態に限定されるものではなく、本発明の要旨を変更しない範囲で適宜変更可能である。
（１）実施の形態では、貯水タンクを地下に設置した例を示したが、地上に設置してもよいものである。
（２）実施の形態では、貯水タンクは内部が３槽に区画された例を示したが、内部が２槽に区画され、貯留槽が１槽の貯水タンクでもよく、要は貯水タンク内に砂やゴミ等を分離する部屋（沈殿槽）が区画形成されていればよい。
（３）実施の形態では、貯水タンクはガラス繊維強化樹脂材（ＦＲＰ）からなる上下二部材の接合によって構成された形態を示したがこれに限らず、例えば、金属製のタンク等でもよいものである。
【符号の説明】
【００２３】
Ａ…融雪・散水システム                Ｂ…住宅
ｂ…屋根                              １…貯水タンク
２…散水手段                        ２ａ…屋根用散水管
２ｂ…玄関用散水管                    ２ｃ…庭用散水管
３…水中ポンプ（ポンプ）              ６…沈殿槽
７，８…貯留槽
【図１】
2011220016.tif 000003
【図２】
2011220016.tif 000004